(57)【要約】      （修正有）【課題】メールタイトル、あるいは、アドレス帳に登録されている送信者に応じてメール受信の着信音を変更して通知することができる移動体通信端末における受信メール通知方法及び受信メール通知装置を提供する。【解決手段】受信メールのメールタイトルから、受信メールが返送メール、転送メールのいずれかであることが判別された場合に、予め返送メールと転送メールに設定された異なる着信音で鳴動してメールの受信を通知し、受信メールが返送メール、転送メール以外の新規メールであって、メールの発信元がアドレス帳に登録してある場合に、予めアドレス帳の各メールアドレスに対応して設定された着信音で鳴動してメールの受信を通知する。【選択図】図３
2010282632.tif 000002
【特許請求の範囲】
【請求項１】
受信メールのメールタイトルに応じてメール着信音を変更することを特徴とする移動体通信端末における受信メール通知方法。
【請求項２】
受信メールのメールタイトルから、受信メールが返送メール、転送メールのいずれかであることが判別された場合に、予め返送メールと転送メールに設定された異なる着信音で鳴動してメールの受信を通知することを特徴とする移動体通信端末における受信メール通知方法。
【請求項３】
受信メールが返送メール、転送メール以外の新規メールであって、メールの発信元がアドレス帳に登録してある場合に、予めアドレス帳の各メールアドレスに対応して設定された着信音で鳴動してメールの受信を通知することを特徴とする請求項２記載の移動体通信端末における受信メール通知方法。
【請求項４】
メールアドレスを記憶するメールアドレス記憶部と、メールアドレスに対応した着信音と、返送メール、転送メールに対応した異なる着信音とを記憶する着信音記憶部と、受信メールの送信者をメールアドレス記憶部から検索する送信者検索部と、受信メールのメールタイトルから返送メールか転送メールか新規メールかを判定するメール種別判定部と、メール種別判定部により受信メールが返送メール、転送メールのいずれかであると判定された場合、あるいは送信者検索部により受信メールの送信者がメールアドレス記憶部から検索された場合に、返送メール、転送メール、あるいは、検索されたメールアドレスに対応した着信音を着信音記憶部から選択して出力指示する着信音出力制御部とを備えていることを特徴とする移動体通信端末における受信メール通知装置。
【発明の詳細な説明】
【技術分野】
【０００１】
この発明は、移動体通信端末における受信メール通知方法及び受信メール通知装置に関するものであり、特に、メールの種類が返送メールや転送メールである場合に、これを異なる鳴動により通知する移動体通信端末における受信メール通知方法及び受信メール通知装置に係るものである。
【背景技術】
【０００２】
近年、携帯端末やＰＨＳ等の移動体通信端末の高機能化が進み、インターネットを介してパーソナルコンピュータ等の情報端末とも電子メールのやりとりが可能となっている。また、この種の電子メールのやりとりを行う場合には、メールセンタにアクセスして電子メールの有無を確認し、メールセンタから自動的にメールの着信の通知や着信がなされることが多い。この場合、自端末宛のメールの有無を鳴動で通知したり、メールを着信と同時に鳴動で通知するものがある。
【先行技術文献】
【特許文献】
【０００３】
【特許文献１】特開２０００−２７８７５号公報
【発明の概要】
【発明が解決しようとする課題】
【０００４】
しかしながら、上記従来技術にあっては、例えば、電子メールがメールセンタに届いている場合にこれが一律に通知されるものであるため、利用者はその通知が有った時点でその都度端末を操作してメールの内容を確認する必要があり、移動体通信端末を頻繁に操作することが利用者にとって煩雑な作業となってきている。特に、メールの利用率が高まり、様々なメールが着信する現状では、例えば、メールを送りその返事を待っているような場合に、着信があったことをいち早く知りたい返送メールとそれ以外のメールを差別化して利用者のメール確認の労力を軽減する必要がある。そこで、この発明は、メールタイトル、あるいは、アドレス帳に登録されている送信者に応じてメール受信の着信音を変更して通知することができる移動体通信端末における受信メール通知方法及び受信メール通知装置を提供するものである。
【課題を解決するための手段】
【０００５】
上記課題を解決するために、請求項１に記載した発明は、受信メールのメールタイトルに応じてメール着信音を変更することを特徴とする。このように構成することで、着信音を聞いた時点で、受信したメールの種別を判別可能となる。
【０００６】
請求項２に記載した発明は、受信メールのメールタイトルから、受信メールが返送メール、転送メールのいずれかであることが判別された場合に、予め返送メールと転送メールに設定された異なる着信音で鳴動してメールの受信を通知することを特徴とする。このように構成することで、着信音を聞いた時点で、受信したメールが返送メール、転送メール、それ以外の新規メールのいずれかであることが判別可能となる。
【０００７】
請求項３に記載した発明は、受信メールが返送メール、転送メール以外の新規メールであって、メールの発信元がアドレス帳に登録してある場合に、予めアドレス帳の各メールアドレスに対応して設定された着信音で鳴動してメールの受信を通知することを特徴とする。このように構成することで、受信メールが返送メールか転送メールかを着信音で知ることができると共に、それ以外の新規メールであってそのメールの発信者がアドレス帳に登録してある場合に、発信者に応じた着信音で通知を受けることが可能となる。
【０００８】
請求項４に記載した発明は、メールアドレスを記憶するメールアドレス記憶部（例えば、実施形態におけるメールアドレス記憶部Ａ）と、メールアドレスに対応した着信音と、返送メール、転送メールに対応した異なる着信音とを記憶する着信音記憶部（例えば、実施形態における着信音記憶部Ｂ）と、受信メールの送信者をメールアドレス記憶部から検索する送信者検索部（例えば、実施形態における送信者検索部Ｃ）と、受信メールのメールタイトルから返送メールか転送メールか新規メールかを判定するメール種別判定部（例えば、実施形態におけるメール種別判定部Ｄ）と、メール種別判定部により受信メールが返送メール、転送メールのいずれかであると判定された場合、あるいは送信者検索部により受信メールの送信者がメールアドレス記憶部から検索された場合に、返送メール、転送メール、あるいは、検索されたメールアドレスに対応した着信音を着信音記憶部から選択して出力指示する着信音出力制御部（例えば、実施形態における着信音出力制御部Ｅ）とを備えていることを特徴とする。このように構成することで、メールを受信するとメール種別判定部により受信メールのメールタイトルから返送メールか転送メールかのいずれであるかが判定され、いずれかである場合には着信音記憶部にある対応する着信音を着信音出力制御部により出力指示する。一方、受信メールが返送メール、転送メール以外の新規メールである場合には、送信者検索部により受信メールの発信元をメールアドレス記憶部から検索し、検索が成功したら着信音記憶部にある発信者に対応する着信音を着信音出力制御部により出力指示する。
【発明の効果】
【０００９】
以上説明してきたように、請求項１に記載した発明によれば、着信音を聞いた時点で、受信したメールの種別を判別可能となるため、着信したメールをすぐに読む必要があるか否かをメールを読まなくても判別できる効果がある。よって、重要でないメールを着信の都度読むというような煩雑な作業から解放されるという効果がある。
【００１０】
請求項２に記載した発明によれば、着信音を聞いた時点で、受信したメールが返送メール、転送メールのいずれかであることが判別可能となるため、例えば、メールの返事を待っているような場合に、そのメールの着信を速やかに知ることができるという効果がある。よって、重要でないメールを着信の都度読むというような煩雑な作業から解放されるという効果がある。
【００１１】
請求項３に記載した発明によれば、受信メールが返送メールか転送メールかを着信音で知ることができると共に、それ以外の新規メールであってそのメールの発信者がメールアドレスに登録してある場合に、発信者に応じた着信音で通知を受けることが可能となるため、受信メールが新規メールの場合に、メールアドレスに登録してある発信者に応じた着信音により誰からの発信なのかを着信と同時に知ることができる効果がある。 
【００１２】
請求項４に記載した発明によれば、受信メールが返送メールか転送メールかを着信音で知ることができると共に、それ以外の新規メールである場合であってそのメールの発信者がメールアドレスに登録してある場合に、発信者に応じた着信音で通知を受けることが可能となるため、受信メールが新規メールの場合に、メールアドレスに登録してある発信者に応じた着信音により誰からの発信なのかを着信と同時に知ることができる効果がある。
【図面の簡単な説明】
【００１３】
【図１】この発明の実施形態の移動体通信端末の構成図である。
【図２】この発明の要旨をなす機能ブロック図である。
【図３】この発明の実施形態のメール受信処理を示すフローチャート図である。
【図４】この発明の実施形態のアドレス帳の登録内容を示す図である。
【図５】この発明の実施形態のアドレス帳の他の登録内容を示す図である。
【図６】この発明の実施形態のメール受信時のＬＣＤの表示例を示す図である。
【図７】この発明の実施形態の他のメール受信時のＬＣＤの表示例を示す図である。
【発明を実施するための形態】
【００１４】
以下、この発明の実施形態を図面と共に説明する。図１は、この発明の実施形態の移動体通信端末の構成図である。移動体通信端末１はメールセンタにアクセスすることでインターネットを介して文字メッセージを送受信することができるものである。また、メールの有無を鳴動音、振動、可視表示の中から選択した通知方法により知ることができ、所望のメールを自動で取り込むことができる。
【００１５】
図１において、送受信回路部１１は、移動体通信端末１における送受信処理をＣＰＵ１２の制御によって実行する回路であり、この送受信回路部１１にアンテナ１６が接続されている。ＣＰＵ１２は、ＲＯＭ１７に記述されたプログラムにしたがって操作キー１８及び送受信回路部１１からの制御信号により動作し、送受信回路部１１、ＬＣＤドライバ２０及び音声処理部１３を制御して、音声通信における呼処理を行う。また、ＣＰＵ１２は、メールセンターに届いている自分宛のメールリストの受信操作が行なわれると、後述する通知方法にしたがって、メールの受信を通知する。尚、ＣＰＵ１２はメールセンターに送信したＩＤ（認証番号）やパスワードが間違っていてメールセンターとの接続を拒否された場合にも、可聴音、振動、可視表示の中からユーザにより選択された通知方法にしたがってその旨を通知する。
【００１６】
ＣＰＵ１２にはＲＡＭ１９が接続されている。ＲＡＭ１９はＲＯＭ１７に記述されたプログラムを実行するときのワークエリアとして使用することで、音声通信における呼処理や各種機能を実行する。また、ＣＰＵ１２にはフラッシュメモリ２４が接続され、作成した送信用の文字メッセージやメールセンターから取り込んだ文字メッセージ、またはアドレス帳に登録するデータ等を、不揮発性メモリであるこのフラッシュメモリ２４に記憶する。
【００１７】
ＬＣＤドライバ２０はＣＰＵ１２の制御に基づいて液晶ディスプレイであるＬＣＤ２２を駆動しこれの表示制御を行う。すなわち、ＬＣＤドライバ２０は、ＣＰＵ１２からの制御信号に対応する文字パターン（数字も含む）やアイコン（図形）パターンをフォントＲＯＭ２１から読み出し、ＬＣＤ２２に表示する。音声処理部１３は音声信号の増幅処理を行う回路であり、スピーカ１４およびマイク１５に接続されている。
【００１８】
バイブレータ２３は、ＣＰＵ１２の制御によって、例えば鳴動音に代わり電話機全体を振動させて着信をユーザに知らせる振動装置である。音声合成ＬＳＩ２５は、ＣＰＵ１２の制御によって、デジタル化した音声信号または音声を生成する規則が記憶されている音声ＲＯＭ２６のデータをもとにして音声の合成や組み合わせを行う回路である。音声合成ＬＳＩ２５により人工的に作りだされた音声は、ＣＰＵ１２を介して音声処理部１３に送られ、スピーカ１４より出力される。ＬＥＤ３０は、携帯電話機操作面の上部に位置する例えば赤色ＬＥＤであり、ＣＰＵ１２の制御により充電時や着信時に点灯または点滅する可視表示部である。尚、ＩＤやパスワードが違っていた場合も同様に通知する。
【００１９】
次に、図２に示すのは、この発明の要旨をなす機能ブロック図である。この機能ブロック図は、主として前記ＣＰＵ１２における処理を示すものである。図２において、メールアドレス記憶部Ａはメールアドレスを記憶するものであり、前記フラッシュメモリ２４に対応している。着信音記憶部Ｂはメールアドレスに対応した着信音と、返送メール、転送メールに対応した異なる着信音とを記憶するものであり、フラッシュメモリ２４に対応している。尚、対応するメールアドレスが存在しない場合の着信音も着信音記憶部Ｂに記憶されている。ここで、返送メールとは、自分が送ったメールを相手が返信操作することで自分に送られるメールである。また、転送メールとは受信したメールをそのまま別の相手に送付するメールを意味する。そして、これ以外のメールが新規メールを意味する。
【００２０】
具体的には、フラッシュメモリ２４のアドレス帳の登録内容は、例えば、図４にアドレス帳の表示状態を用いて示すように、「氏名：鈴木、電話番号：０９０−ＸＸ、メールアドレス：ａｂｃ＠ｄｅｆ．ｎｅ．ｊｐ、メール着信音種別：５」のようになる。また、図５に示す別の登録者では、「氏名：田中、電話番号：０９０−ＸＸ、メールアドレス：ｘｙｚ＠ｄｅｆ．ｎｅ．ｊｐ、メール着信音種別：３」となっている。つまり登録者毎にメール着信音の種別を変更して登録されている。また、着信音記憶部Ｂは、返送メール、転送メールに対応した異なる着信音をフラッシュメモリ２４に登録できるようになっている。
【００２１】
送信者検索部Ｃは、受信メールの送信者をメールアドレス記憶部Ａから検索するものであり、ＣＰＵ１２に対応している。具体的には、図６にメール受信時の表示状態を用いて示すように、受信メールにおける送信者の文字情報を図４、図５に示したアドレス帳のメールアドレスの項目から検索して該当する登録者が存在するか否かを検索する。例えば、図６に示す受信メールがあった場合には、受信メールの送信者の項目からメールアドレスａｂｃ＠ｄｅｆ．ｎｅ．ｊｐを読みとって、これをアドレス帳から検索すると図４に示す鈴木さんからのメールであることが検索される。一方、図７に示す受信メールがあった場合には、受信メールの送信者の項目からメールアドレスｘｙｚ＠ｄｅｆ．ｎｅ．ｊｐを読みとって、これをアドレス帳から検索すると図５に示す田中さんからのメールであることが検索される。
【００２２】
メール種別判定部Ｄは、受信メールのメールタイトルから返送メールか転送メールか新規メールかを判定するものであり、ＣＰＵ１２に対応している。例えば、図７に示す受信メールがあった場合には、受信メールのメールタイトルの項目から「ＲＥ：」の文字列を読みとって、このメールが返送メールであることを判定する。また、図示しないがメールタイトルに「ＦＷ：」の文字列を読みとった場合には、このメールが転送メールであることを判定する。一方、図６に示す受信メールのように、受信メールのメールタイトルの項目に「ＲＥ：」、「ＦＷ：」のいずれの文字も存在しなかった場合には、このメールが新規メールであると判定する。
【００２３】
着信音出力制御部Ｅは、前記メール種別判定部Ｄにより受信メールが返送メール、転送メールのいずれかであると判定された場合、あるいは送信者検索部Ｃにより受信メールの送信者がメールアドレス記憶部Ａから検索された場合に、返送メール、転送メール、あるいは、検索されたメールアドレスに対応した着信音を着信音記憶部Ｂから選択して出力指示するものであり、ＣＰＵ１２に対応している。
【００２４】
つまり、受信メールが図７に示す返送メールであるとメール種別判定部Ｄが判定した場合は、着信音出力制御部Ｅにより、着信音記憶部Ｂに登録してある返送メール用の着信音の出力指示を行い、これにより前記音声処理部１３を介してスピーカ１４から返送メール用の着信音が出力される。尚、転送メールである場合には同様に転送メール用の着信音の出力指示を行い音声処理部１３を介してスピーカ１４から転送メール用の着信音が出力される。一方、受信メールが図６に示す新規メールであるとメール種別判定部Ｄが判定した場合は、着信音出力制御部Ｅにより、送信者検索部Ｃにより検索されたメールアドレスに対応した着信音の出力指示を行い、これにより前記音声処理部１３を介してスピーカ１４からその着信音が出力される。尚、新規メールの発信者がアドレス帳に登録されていない場合には、前述したようにこれに対応した着信音が着信音出力制御部Ｅの出力指示によりスピーカ１４から出力される。
【００２５】
次に、図３のフローチャートに基づいて、メール受信の処理について説明する。ステップＳ１においてメールを受信すると、ステップＳ２に進み、メールタイトルが「ＲＥ：」か否かを判定する。ステップＳ２における判定結果が「ＹＥＳ」である場合（返送メールである場合）はステップＳ７に進み、ここで、返送メール着信音の鳴動が行われると共にＬＣＤ２２に「返信メール受信」の表示がなされ処理を終了する。ステップＳ２における判定結果が「ＮＯ」である場合（返送メール以外である場合）はステップＳ３に進む。
【００２６】
ステップＳ３において、メールタイトルが「ＦＷ：」か否かを判定する。ステップＳ３における判定結果が「ＹＥＳ」である場合（転送メールである場合）はステップＳ８に進み、ここで、転送メール着信音の鳴動が行われると共にＬＣＤ２２に「転送メール受信」の表示がなされ処理を終了する。ステップＳ３における判定結果が「ＮＯ」である場合（新規メールである場合）はステップＳ４に進む。
【００２７】
ステップＳ４において、送信者のメールアドレスをアドレス帳から検索して、ステップＳ５に進む。つまり、新規メールがアドレス帳に登録されている発信者からのメールかどうかを検索する。ステップＳ５において、検索が成功したか否かを判定する。検索が成功した場合、つまり、該当する発信者が存在した場合はステップＳ６に進み、ここで対応する登録者の着信音が出力されると共にＬＣＤ２２に「新規メール受信」の表示がなされ処理を終了する。
【００２８】
ステップＳ５における判定の結果、検索が失敗した場合、つまり、該当する発信者が存在しない場合はステップＳ９に進み、ここで登録者が存在しない場合の着信音が出力されると共にＬＣＤ２２に「新規メール受信」の表示がなされ処理を終了する。このように、受信メールのメールタイトルに応じて、あるいは、アドレス帳の登録者に応じてメール着信音を変更し、つまり、予め返送メールと転送メール、アドレス帳の登録者毎に設定された異なる着信音で鳴動しメールの受信を通知する方法を採用することで、利便性を高めているのである。
【００２９】
したがって、この実施形態によれば、移動通信端末１でメールを受信した場合に、メールの発信者のメールアドレスがアドレス帳に登録してある場合には、アドレス帳に登録してある着信音で鳴動して通知し、また、発信者が登録されていない場合にはこれに対応した着信音で鳴動して通知がなされるため、利用者が着信音を聞いた時点で送信者を特定でき利便性が高まる。また、受信したメールのタイトルに、返送メール用の「ＲＥ：」や転送メール用の「ＦＷ：」が付加されている場合は、返送メール、転送メールに割り当てられた着信音を鳴動して通知することができるため、利用者が着信音を聞いた時点で返送メール、転送メールの別を判断することができる。尚、着信音と共にＬＣＤ２２による受信メールの種別の表示もなされるため、目視による確認も支障無く行うことができる。
【００３０】
したがって、利用者はメールの着信音を聞いた時点で、そのメールが返信メールか、転送メールか、アドレス帳登録者からの新規メールか、アドレス帳登録者以外の新規メールかを判別することができるため、利便性が高まる。とりわけ、返信メールや転送メールのように、自分が送信したメールの返事や連絡を待っているような場合に、そのメールの着信を速やかに知ることができるので、重要でないメールを着信の都度読むというような煩雑な作業から解放される。よって、各メールが差別化されて通知されない従来のように、着信がある毎にその都度全メールをチェックする煩雑な作業から解放され、緊急に読む必要があるメールを選択することができる。
【００３１】
尚、この発明は上記実施形態に限られるものではなく、例えば、返送メールを示す「ＲＥ：」や転送メールを示す「ＦＷ：」は一例であって、メールの種別が判定できれば、この文字列に限られるものではない。また、メール本文の中から特定の文字列（例えば、至急、緊急）を読みとって、これに対応する特別な着信音を出力することも可能である。
【符号の説明】
【００３２】
Ａ  メールアドレス記憶部
Ｂ  着信音記憶部
Ｃ  送信者検索部
Ｄ  メール種別判定部
Ｅ  着信音出力制御部
【図１】
2010282632.tif 000003
【図２】
2010282632.tif 000004
【図３】
2010282632.tif 000005
【図４】
2010282632.tif 000006
【図５】
2010282632.tif 000007
【図６】
2010282632.tif 000008
【図７】
2010282632.tif 000009
【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
受信メールの本文に応じて受信メールの通知方法を変更することを特徴とする移動体通信端末における受信メール通知方法。
【請求項２】
受信メールの本文に所定の文字があると判定されると、前記所定の文字があると判定された場合に対応して設定された通知方法により前記メールの受信を通知することを特徴とする移動体通信端末における受信メール通知方法。
【請求項３】
前記受信メールの本文に前記所定の文字がないと判定すると、前記受信メールの発信元がアドレス帳に登録してあるか否か判定し、
当該受信メールの発信元がアドレス帳に登録してあると判定すると、アドレス帳に登録されている登録者に対応して設定された通知方法により前記メールの受信を通知することを特徴とする請求項２記載の移動体通信端末における受信メール通知方法。
【請求項４】
受信メールの本文に応じて受信メールの通知方法を変更する手段を備える移動体通信端末における受信メール通知装置。
【手続補正２】
【補正対象書類名】明細書
【補正対象項目名】０００１
【補正方法】変更
【補正の内容】
【０００１】
この発明は、移動体通信端末における受信メール通知方法及び受信メール通知装置に関するものである。
【手続補正３】
【補正対象書類名】明細書
【補正対象項目名】０００４
【補正方法】変更
【補正の内容】
【０００４】
しかしながら、上記従来技術にあっては、例えば、電子メールがメールセンタに届いている場合にこれが一律に通知されるものであるため、利用者はその通知が有った時点でその都度端末を操作してメールの内容を確認する必要があり、移動体通信端末を頻繁に操作することが利用者にとって煩雑な作業となってきている。そこで、この発明は、受信メールの本文に応じてメールの受信の通知することができる移動体通信端末における受信メール通知方法及び受信メール通知装置を提供するものである。
【手続補正４】
【補正対象書類名】明細書
【補正対象項目名】０００５
【補正方法】変更
【補正の内容】
【０００５】
上記課題を解決するために、本発明は、受信メールの本文に応じて受信メールの通知方法を変更する。
【手続補正５】
【補正対象書類名】明細書
【補正対象項目名】０００６
【補正方法】変更
【補正の内容】
【０００６】
また、本発明は、受信メールの本文に所定の文字があると判定されると、前記所定の文字があると判定された場合に対応して設定された通知方法により前記メールの受信を通知する。
【手続補正６】
【補正対象書類名】明細書
【補正対象項目名】０００７
【補正方法】変更
【補正の内容】
【０００７】
また、本発明は、前記受信メールの本文に前記所定の文字がないと判定すると、前記受信メールの発信元がアドレス帳に登録してあるか否か判定し、当該受信メールの発信元がアドレス帳に登録してあると判定すると、アドレス帳に登録されている登録者に対応して設定された通知方法により前記メールの受信を通知する。
【手続補正７】
【補正対象書類名】明細書
【補正対象項目名】０００８
【補正方法】変更
【補正の内容】
【０００８】
また、本発明は、受信メールの本文に応じて受信メールの通知方法を変更する手段を備える。
【手続補正８】
【補正対象書類名】明細書
【補正対象項目名】０００９
【補正方法】変更
【補正の内容】
【０００９】
本発明によれば、受信メールの本文に応じてメールの受信の通知することができるので、受信したメールを判別可能となるため、メールをすぐ読む必要があるか否かをメールを読まなくても判別できる効果がある。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】